(57)【要約】【課題】発光部が発光する前に発光部が発光する予定の色を使用者が肉眼で確認することができるとともに、発光部が発光する色を使用者が任意に選択することができる発光具を提供する。【解決手段】発光部３と、第１の表示面１５の展開方向で色を連続的に変えて表示する第１の色表示部５と、第１の表示面１５で連続的に変化して表示されている色から所定の色を選択する色選択部７と、色選択部７で選択された所定の色を発光部３が発光する発光色として指定する色指定部９と、色指定部９で指定された色で発光部３を発光させる制御部１１とを有する。【選択図】図１
2020187899.tif 000002
【特許請求の範囲】
【請求項１】
発光部と、
第１の表示面の展開方向で色を連続的に変えて表示する第１の色表示部と、
前記第１の表示面で連続的に変化して表示されている色から所定の色を選択する色選択部と、
前記色選択部で選択された所定の色を前記発光部が発光する発光色として指定する色指定部と、
前記色指定部で指定された色で前記発光部を発光させる制御部と、
を有することを特徴とする発光具。
【請求項２】
請求項１に記載の発光具であって、
前記色選択部での前記所定の色の選択は、前記第１の色表示部に設けられているタッチパネルによってされる構成であることを特徴とする発光具。
【請求項３】
請求項１または請求項２に記載の発光具であって、
色を表示する第２の色表示部を有し、
前記制御部は、前記色指定部で指定された色で前記発光部を発光させる前に、前記色選択部で選択された色を前記第２の色表示部で表示することを特徴とする発光具。
【請求項４】
請求項３に記載の発光具であって、
前記色指定部での前記所定の色の指定は、前記第２の色表示部に設けられているタッチパネルによってされる構成であることを特徴とする発光具。
【請求項５】
請求項４に記載の発光具であって、
前記第１の色表示部と前記第２の色表示部とが兼用されており、前記第１の色表示部に設けられているタッチパネルと前記第２の色表示部に設けられているタッチパネルとが兼用されており、
前記色選択部で所定の色が選択されたときに、前記第２の色表示部で前記選択された色を表示する構成であることを特徴とする発光具。
【請求項６】
請求項１〜請求項５のいずれか１項に記載の発光具であって、
前記第１の表示面は矩形状に形成されており、
前記第１の表示面で表示されている色は、前記第１の表示面の１辺が延びている方向で色相が次第に変化し、前記第１の表示面の前記１の辺に対して直交している他の１の辺が延びている方向で彩度が次第に変化するように構成されていることを特徴とする発光具。
【発明の詳細な説明】
【技術分野】
【０００１】
本発明は、発光具に係り、特に、発光部が発する光の色を変更可能なものに関する。
【背景技術】
【０００２】
従来、光の三原色である青色ＬＥＤと緑色ＬＥＤと赤色ＬＥＤと備えて構成された発光部を有する発光具が知られている（たとえば特許文献１、特許文献２参照）。
【０００３】
特許文献１に記載の発光具では、発光具の筐体に設けられている３つのスライドスイットを操作し、青色ＬＥＤ、緑色ＬＥＤ、赤色ＬＥＤそれぞれの輝度を変えることで、発光部での発光色を変えている。
【０００４】
特許文献２に記載の発光具では、発光具の筐体に設けられている色情報保持部に現れている色を選択し、この選択された色で発光部が発光するようになっている。
【先行技術文献】
【特許文献】
【０００５】
【特許文献１】特開２００９−１７６６９７号公報
【特許文献２】特開２０１８−９７９４６号公報
【発明の概要】
【発明が解決しようとする課題】
【０００６】
ところで、特許文献１に記載の発光具では、スライドスイットを操作すると同時に発光部の発光色が変化するので、発光具を操作している者が、発光部の発光色を事前に見ることができない。すなわち、発光部が発光する前に発光部が発光する予定の色を肉眼で確認することができないという問題がある。
【０００７】
これにより、たとえば、特許文献１に記載の発光具をコンサート会場等で使用する場合、一時的ではあるが、目的外の色で発光部が発光してしまい、会場の雰囲気を壊してしまうおそれがある。
【０００８】
また、特許文献２に記載の発光具では、色情報保持部に現れている色によって、発光部が発光する前に発光部が発光する予定の色を肉眼で見ることができるが、色情報保持部に現れている色は、８種類等の限られた数の色であり、この限られた数の色の中から発光部の発光色を選択するので、使用者が欲する任意の色（限られた数の色の間に存在する中間色）を選択して発光部を発光させることができないという問題がある。
【０００９】
本発明は、上記問題点に鑑みてなされたものであり、発光部が発光する前に発光部が発光する予定の色を使用者が肉眼で確認することができるとともに、発光部が発光する色を使用者が任意に選択することができる発光具を提供することを目的とする。
【課題を解決するための手段】
【００１０】
請求項１に記載の発明は、発光部と、第１の表示面の展開方向で色を連続的に変えて表示する第１の色表示部と、前記第１の表示面で連続的に変化して表示されている色から所定の色を選択する色選択部と、前記色選択部で選択された所定の色を前記発光部が発光する発光色として指定する色指定部と、前記色指定部で指定された色で前記発光部を発光させる制御部とを有する発光具である。
【００１１】
請求項２に記載の発明は、請求項１に記載の発光具であって、前記色選択部での前記所定の色の選択は、前記第１の色表示部に設けられているタッチパネルによってされる構成である発光具である。
【００１２】
請求項３に記載の発明は、請求項１または請求項２に記載の発光具であって、色を表示する第２の色表示部を有し、前記制御部は、前記色指定部で指定された色で前記発光部を発光させる前に、前記色選択部で選択された色を前記第２の色表示部で表示する発光具である。
【００１３】
請求項４に記載の発明は、請求項３に記載の発光具であって、前記色指定部での前記所定の色の指定は、前記第２の色表示部に設けられているタッチパネルによってされる構成である発光具である。
【００１４】
請求項５に記載の発明は、請求項４に記載の発光具であって、前記第１の色表示部と前記第２の色表示部とが兼用されており、前記第１の色表示部に設けられているタッチパネルと前記第２の色表示部に設けられているタッチパネルとが兼用されており、前記色選択部で所定の色が選択されたときに、前記第２の色表示部で前記選択された色を表示する構成である発光具である。
【００１５】
請求項６に記載の発明は、請求項１〜請求項５のいずれか１項に記載の発光具であって、前記第１の表示面は矩形状に形成されており、前記第１の表示面で表示されている色は、前記第１の表示面の１辺が延びている方向で色相が次第に変化し、前記第１の表示面の前記１の辺に対して直交している他の１の辺が延びている方向で彩度が次第に変化するように構成されている発光具である。
【発明の効果】
【００１６】
本発明によれば、発光部が発光する前に発光部が発光する予定の色を使用者が肉眼で確認することができるとともに、発光部が発光する色を使用者が任意に選択することができるという効果を奏する。
【図面の簡単な説明】
【００１７】
【図１】本発明の実施形態に係る発光具の正面図である。
【図２】本発明の実施形態に係る発光具の側面図であって、図１におけるＩＩ矢視図である。
【図３】図１におけるＩＩＩ部の拡大図である。
【図４】本発明の実施形態に係る発光具の動作を示すフローチャートである。
【図５】変形例に係る発光具の正面図である。
【発明を実施するための形態】
【００１８】
本発明の実施形態に係る発光具１は、たとえば、コンサート用のライトとして観客（使用者）が手に持って使用するものであり、図１や図２で示すように、発光部３と第１の色表示部５と色選択部７と色指定部９と制御部１１とを備えて構成されている。なお、図１では、制御部１１等の表示が省略されている。
【００１９】
ここで説明の便宜のために、発光具における所定の一方向を横方向とし、この横方向に対して直交する所定の他の一方向を縦方向とし、横方向と縦方向とに対して直交する方向を前後方向とする。
【００２０】
発光部３は、複数の色（青色、赤色、緑色等の複数種類の色）のうちの所定の色を発光するようになっている。たとえば、発光部３は、赤色を発する赤色ＬＥＤ（図示せず）と、緑色を発する緑色ＬＥＤ（図示せず）と、青色を発する青色ＬＥＤ（図示せず）とで構成されている発光体１３備えて構成されており、これらの三原色を発する各ＬＥＤそれぞれの輝度を適宜変えることで、フルカラーで任意の色で発光するようになっている。
【００２１】
第１の色表示部５は、図１〜図３で示すように、たとえばＬＣＤで平面状に形成されている第１の表示面１５を備えて構成されている。第１の表示面１５は、この展開方向（横方向や縦方向）で色（色相、彩度、明度のうちの少なくとも１つ）を、徐々に連続的に変えて表示するように構成されている。
【００２２】
すなわち、第１の表示面１５は、色が次第に変化しているカラーパレットとして機能するように構成されており、第１の表示面１５が発光しているときには、第１の表示面１５の展開方向で、色が次第にしかも連続的に変化している。
【００２３】
なお、第１の表示面１５の解像度の関係で、厳密に言えば第１の表示面１５で色を徐々にしかも連続的に変化させることができない。しかし、ここでは、第１の表示面１５を肉眼で見たときに色が徐々にしかも連続的に変化しているように見えれば、第１の表示面１５で色が徐々にしかも連続的に変化していることとする。
【００２４】
色選択部７は、第１の表示面１５で連続的に変化して表示されている色から所定の色（所定の１つの色）を選択するものであり、色指定部９は、色選択部７で選択された所定の色を発光部３が発光する発光色として指定するものである。制御部１１は、色指定部９で指定された色で発光３部を発光させるようになっている。
【００２５】
また、発光具１には、第２の色表示部１７が設けられている。第２の色表示部１７は、たとえばＬＣＤで平面状に形成され、所定の色（所定の１つの色）を表示する第２の表示面１９を備えて構成されている。
【００２６】
そして、制御部１１は、色指定部９で指定された色で発光部３を発光させる前に、色選択部７で選択された色（所定の１つの色）を、第２の色表示部１７の第２の表示面１９で表示させるようになっている。
【００２７】
第１の表示面１５は、矩形状に形成されており、第１の表示面１５で表示されている色は、第１の表示面１５の１辺が延びている方向（横方向）で色相が次第に変化し、第１の表示面１５の１の辺に対して直交している他の１の辺が延びている方向（縦方向）で彩度が次第に変化するようになっている。
【００２８】
第１の表示面１５で表示される色相は、横方向（横軸）で連続的に変化している。たとえば、可視光線のほぼすべての範囲である赤色から紫色まで、光の波長が次第に短くなるようにして連続的に変化している。さらに具体的には、図３で示す矩形な第１の表示面１５の左端では第１の表示面１５が赤色で発光しており、右に向かうにしたがって、波長が次第に短くなり、第１の表示面１５の右端では表示面１５が紫色で発光している。また、彩度は、矩形な第１の表示面１５の下端では彩度が高く、矩形な第１の表示面１５の上端では彩度が低くなっている。
【００２９】
なお、第１の表示面１５で表示される色相が可視光線の一部の範囲で連続的に変化していてもよい。たとえば、黄色から青色までの範囲で連続的に変化していてもよい。
【００３０】
また、第１の表示面１５で表示される色相が可視光線の複数の部位の範囲で連続的に変化していてもよい。たとえば、赤色から黄色までの範囲で連続的に変化しているとともに、緑色から青色の範囲で連続的に変化していてもよい。
【００３１】
なお、第１の表示面１５を円形状や楕円形状に形成し、たとえば、第１の表示面１５の周方向で色相が次第に変化し、第１の表示面１５の径方向で彩度が次第に変化するように構成してもよい。この場合、彩度が、第１の表示面１５の中心では無彩色で外方向に向かうにしたがって純色になるように構成されていることが望ましい。
【００３２】
発光具１についてさらに説明すると、発光具１は、外径が円柱状の形成されている筐体２１を備えて構成されている。筐体２１は、たとえば不透明な合成樹脂で構成されている把持部２３と、たとえば透明もしくは半透明な合成樹脂で構成されている光放出部２５とを備えて構成されている。把持部２３の内部と光放出部２５の内部とは空洞になっている。
【００３３】
筐体２１は円柱の高さ方向が縦方向になっており、把持部２３は、縦方向の一端側に位置しており、光放出部２５は、縦方向の他端側に位置している。また、光放出部２５は、発光体１３が発した光を透過しまた拡散して筐体２１（光放出部２５）の外部に放出するようになっている。
【００３４】
制御部１１は、ＣＰＵ３５とメモリ３７とを備えて構成されており、把持部２３内に設けられている。そして、制御部１１の制御の下、第１の色表示部５や第２の色表示部１７が適宜の色を表示し（適宜の色で発光し）発光体１３（発光部３）が適宜の色で発光するようになっている。また、把持部２３内には、制御部１１や発光体１３に電力を供給する電源（電池）２７が設けられている。
【００３５】
把持部２３には、第１の色表示部５の第１の表示面１５と第２の色表示部１７の第２の表示面１９と色選択部７と色指定部９とが設けられている。
【００３６】
色選択部７や色指定部９は、たとえば複数の押しボタン２９を備えて構成されており、これらの押しボタン２９を適宜押すことで、色選択部７による色の選択や色指定部９による色の指定がされるようになっている。なお、色選択部７では、たとえば、第１の表示面１５に現れているカーソル３１の位置を押しボタン２９を操作することで移動することでされるようになっている。
【００３７】
また、発光部３が発する色の明度も、複数の押しボタン２９を適宜押すことで変えることができるようになっている。
【００３８】
発光部３の発光体１３は、光放出部２５内で把持部２３と光放出部との境界の部位に設けられており、縦方向の他端に向けて光を発するようになっている。
【００３９】
第２の表示面１９も矩形状に形成されている。第２の表示面１９は、第１の表示面１５に隣接しており（たとえば横方向にならんで隣接しており）、第１の表示面１５と第２の表示面１９とで、矩形な表示面が形成されている。
【００４０】
なお、図１や図３では、第２の表示面１９の上部に「現在選択中」との文字が記載されている。すなわち、図１や図３で示すように、第２の表示面１９を上下２つの矩形に区切り、把持部２３の表面が現れていることで色を表示しない部位である上側の矩形内に上記文字を表し、下側の矩形で選択中の色を表示するようになっている。ここで、第２の表示面１９の上部の「現在選択中」文字を削除し第２の表示面１９を上下２つの矩形に区切ることをやめてもよい。さらに、「現在選択中」の文字が第２の表示面１９で表示されている色の中に現れるようにしてもよい。
【００４１】
発光部３の面積の値は、第１の表示面１５の面積の値よりも大きくなっており、第１の表示面１５の面積の値は、第２の表示面１９の面積の値よりも大きくなっている。また、たとえば、第２の表示面１９で表示される色の明度は、発光部３（光放出部２５）が発する色の明度よりも低くなっている。さらに説明すると、第２の表示面１９の単位面積あたりの光度は、光放出部２５の単位面積あたりの光度よりも小さくなっている。
【００４２】
これにより、第２の表示面１９で表示される光の色（たとえば色相）と発光部３で発する光の色（たとえば色相）とが異なっていても、発光部３で発する光が第２の表示面１９で表示される光に邪魔されるおそれが低くなり、発光部３での発光が、第２の表示面１９で発光に邪魔されず、鮮明になる。
【００４３】
なお、発光部３の面積とは、たとえば、円柱状の光放出部２５の側面の面積であり、第１の表示面１５の面積とは矩形な第１の表示面１５の面積であり、第２の表示面１９の面積とは矩形な第２の表示面１９の面積である。
【００４４】
次に発光具１の動作を、図４を参照しつつ説明する。
【００４５】
初期状態では、発光具１のメインスイッチ（図示せず）がオフになっており、発光体１３と第１の表示面１５と第２の表示面１９とが非発光状態になっている。
【００４６】
初期状態でメインスイッチがオンになると（Ｓ１）、第１の色表示部５の第１の表示面１５が上述した色を表示する（Ｓ３）。
【００４７】
続いて、色選択部７での色の選択がされると（Ｓ５）、第２の色表示部１７の第２の表示面１９が色選択部７で選択がされた色を表示する（Ｓ７）。
【００４８】
続いて、色指定部９で色の指定がされると（Ｓ９）、発光部３が色指定部９で指定がされた色で発光する（Ｓ１１）。
【００４９】
続いて、メインスイッチがオフになると動作を終了するが、メインスイッチがオフにならない場合は、ステップＳ５に戻り、次の色の選択を待つ（Ｓ１３）。
【００５０】
発光具１によれば、第１の表示面１５の展開方向で色を連続的に変えて表示する第１の色表示部５と、第１の表示面１５で連続的に変化して表示されている色から所定の色を選択する色選択部７と、色選択部７で選択された所定の色を発光部３が発光する発光色として指定する色指定部９とを有し、色指定部９で指定された色で発光部３が発光するように構成されているので、発光部３が発光する前に発光部３が発光する予定の色を第１の表示面１５によって使用者が肉眼で確認することができるとともに、発光部３が発光する色（微妙な色合いの中間色を含む）を第１の表示面１５を用いて発光具１の使用者が任意に選択することができる。
【００５１】
また、発光具１によれば、第１の色表示部５と色選択部７と色指定部９とを備えて構成されているので、Ｗｉ−Ｆｉ（登録商標）やＢｌｕｅｔｏｏｈ（登録商標）等の外部端末等を用いた無線通信をすることなく、発光具１だけで、発光部３が発する微妙な色の切り換えですることができる。
【００５２】
また、発光具１によれば、色指定部９で指定された色で発光部３を発光させる前に、色選択部７で選択された色を第２の色表示部１７で表示するので、発光部３が発光する前に発光部３が発光する予定の色を第２の表示面１９によって使用者が肉眼で一層容易に確認することができる。
【００５３】
また、発光具１によれば、第１の表示面１５で表示されている色が、横方向で色相が次第に変化し、縦方向で彩度が次第に変化するように構成されているので、発光部３が発する色を使用者が容易に選択することができる。
【００５４】
ところで、第１の表示面１５が色を表示しているときに第１の表示面１５の所定の部位（範囲）を指定する部位指定部を、発光具１に設けてもよい。そして、制御部１１が、上記部位指定部で指定された所定の部位を拡大して第１の表示面１５の全面に表示するように構成してもよい。すなわち、発光具１に、第１の表示面１５の一部を拡大する拡大機能が設けられていてもよい。
【００５５】
このような拡大機能を設けることで、発光部３が発する色（たとえば中間色）を使用者が正確に選択することができる。
【００５６】
また、制御部１１が、色選択部７で選択され第２の色表示部１７（第２の表示面１９）に表示されている色の数値（たとえば、Ｌ＊ａ＊ｂ＊色空間におけるＬ＊の値と、ａ＊の値とｂ＊の値）を、第２の色表示部１７の第２の表示面１９に表示するように構成されていいてもよい。このような数値の表示をすることで、発光部３が発する色を使用者一層正確にしかも客観的に選択することができる。
【００５７】
ところで、上記説明では、押しボタン２９によって色選択部７での色の選択をするようになっているが、図５で示すように、第１の表示面１５にタッチパネル３３を設け、第１の表示面１５の所定の箇所をタップすることで色を選択してもよいし、この選択することが発光部３での色を指定する色指定部を兼ねていてもよい（図１〜図３で示す発光具でも同様に、色選択部が発光部での色を指定する色指定部を兼ねていてもよい）。
【００５８】
さらに、図５で示す発光具１において、第１の表示面１５の所定の箇所をタップすることで色を選択したときに、第１の表示面１５がこの選択された色を表示するように構成し（第１の表示面１５が第２の表示面１９の機能を果たすように構成し）、続いて、第１の表示面１５をタップしたときに、発光部３が発光する色を指定する構成にしてもよい。
【００５９】
すなわち、色選択部７での所定の色の選択が、第１の色表示部５（第１の表示面１５）に重なって設けられているタッチパネル３３によってされるように構成してもよい。また、色指定部９での所定の色の指定が、第２の色表示部１７（第２の表示面１９）に重なって設けられているタッチパネル３３によってされるように構成してもよい。
【００６０】
このような構成の発光具１では、たとえば、第１の色表示部５と第２の色表示部１７とが兼用されており、第１の色表示部５に設けられているタッチパネル３３と第２の色表示部１７に設けられているタッチパネル３３とが兼用されている。さらに、色選択部７で所定の色が選択されたときに、第２の色表示部１７で選択された色を表示するようになっている。
【００６１】
このように、発光部３が発光する色の選択と指定とをタッチパネル３３を介して行うことで、別途ボタンを設けることなく、色の選択と指定とを簡単にしかも直観的に行うことができる。
【符号の説明】
【００６２】
１  発光具
３  発光部
５  第１の色表示部
７  色選択部
９  色指定部
１１  制御部
１５  第１の表示面
１７  第２の色表示部
３３  タッチパネル
【図１】
2020187899.tif 000003
【図２】
2020187899.tif 000004
【図３】
2020187899.tif 000005
【図４】
2020187899.tif 000006
【図５】
2020187899.tif 000007